(57)【特許請求の範囲】
【請求項１】
絶縁基板材料として熱可塑性樹脂を用いた第１のプリント配線基板上に、接続端子としてのランドを複数含む導体パターンを形成する工程と、
前記第１のプリント配線基板と接続される第２のプリント配線基板上に、接続端子としてのランドを複数含む導体パターンを形成する工程と、
前記第２のプリント配線基板上に形成された複数のランド間であって、当該第２のプリント配線基板上にはんだレジスト部を形成する工程と、
前記第１のプリント配線基板の導体パターンのランドと、前記第２のプリント配線基板の導体パターンのランドとの少なくとも一方にはんだを供給する工程と、
前記第１のプリント配線基板の導体パターンのランドと、前記第２のプリント配線基板の導体パターンのランドとが重なるように配置した後、前記第１のプリント配線基板と前記第２のプリント配線基板との接続箇所を前記熱可塑性樹脂のガラス転移温度以上かつ前記はんだの融点以上に加熱するとともに、当該接続箇所に圧力を加えて、前記第１のプリント配線基板のランドと前記第２のプリント配線基板のランドとをはんだを介して電気的に接続するとともに、前記第１のプリント配線基板を構成する熱可塑性樹脂を軟化変形させ、前記第２のプリント配線基板表面に密着させて両プリント配線基板を接着する工程とを備え、
前記第２のプリント配線基板上に形成されるはんだレジスト部は、その先端部が前記第１のプリント配線基板と前記第２のプリント配線基板との接着面の一部に入り込んだ位置で終端することを特徴とするプリント配線基板の接続方法。
【請求項２】
前記第１のプリント配線基板と前記第２のプリント配線基板との接続箇所に圧力を加える際に、圧力付与部材を前記第１のプリント配線基板に当接させ、この圧力付与部材が、前記接続箇所の端部よりも中央付近に対応する部位により大きな圧力を加えることを特徴とする請求項１記載のプリント配線基板の接続方法。
【請求項３】
前記圧力付与部材の端部が、テーパー状、凹上もしくは階段状に形成されることを特徴とする請求項２記載のプリント配線基板の接続方法。
【請求項４】
前記はんだレジスト部は、前記第２のプリント配線基板の導体パターンのランドと所定の間隔を隔てて、前記第２のプリント配線基板上に形成されることを特徴とする請求項１または２記載のプリント配線基板の接続方法。
【請求項５】
前記所定の間隔は、３０μｍ以上であることを特徴とする請求項４記載のプリント配線基板の接続方法。
【請求項６】
絶縁基板材料として熱可塑性樹脂を用いた第１のプリント配線基板上に形成した導体パターンの複数のランドと、第２のプリント配線基板上に形成した導体パターンの複数のランドとがはんだを介して電気的に接続されるとともに、前記第１のプリント配線基板の基板表面と前記第２のプリント配線基板の基板表面とが密着することによって両基板が接着されるプリント配線基板の接続構造であって、
前記第２のプリント配線基板上において、前記ランド間にはんだレジスト部が形成され、当該はんだレジスト部は、その先端部が前記第１のプリント配線基板と前記第２のプリント配線基板との接着面の一部に入り込んだ位置で終端することを特徴とするプリント配線基板の接続構造。
【請求項７】
前記はんだレジスト部は、前記第２のプリント配線基板の導体パターンのランドと所定の間隔を隔てて、前記第２のプリント配線基板上に形成されることを特徴とする請求項６記載のプリント配線基板の接続構造。
【請求項８】
前記所定の間隔は、３０μｍ以上であることを特徴とする請求項７記載のプリント配線基板の接続構造。
【発明の詳細な説明】
【０００１】
【発明の属する技術分野】
本発明は、プリント配線基板の接続方法及び接続構造に関するものである。
【０００２】
【従来の技術】
従来、フレキシブルプリント配線基板とリジッドプリント配線基板との端子接続を行う際には、はんだが用いられる。たとえば、「高密度フレキシブル基板入門」（沼倉研史著、日刊工業新聞社発行）の第１００頁には、半田熱融着による硬質プリント基板とフレキシブル基板の接続構造について示されている。この接続構造によれば、図５に示すように、硬質プリント基板６０の導体パターンのランド６０ａとフレキシブル基板６１の導体パターンのランド６１ａとがはんだ６２によって接続される。なお、フレキシブル基板６１は接着剤６３を介して硬質プリント基板６０に接着される。
【０００３】
【発明が解決しようとする課題】
しかし、図５に示す接続構造のようにはんだ６２を使用して端子接続すると、はんだの量が過剰である場合、隣接するランド間ではんだブリッジが発生することがある。すなわち、はんだが供給された後にランド同士を重ねた状態で、その部位を加熱・加圧すると、はんだが溶融して流動性を有するようになる。このとき、絶縁基板材料のはんだ濡れ性が非常に低いため、溶融したはんだはランドに留まろうとするが、圧力が加えられているため、はんだ量が過剰であると、絶縁基板上にはみ出すことになる。このはみ出したはんだが隣接するランドに達したり、そのランドからはみだしたはんだと接触するとはんだブリッジが形成されてしまう。
【０００４】
本発明は、かかる従来の問題点に鑑みてなされたもので、はんだブリッジの発生を防止することが可能なプリント配線基板の接続方法及び接続構造を提供することを目的とする。
【０００５】
【課題を解決するための手段】
請求項１に記載のプリント配線基板の接続方法は、絶縁基板材料として熱可塑性樹脂を用いた第１のプリント配線基板上に、接続端子としてのランドを複数含む導体パターンを形成する工程と、
前記第１のプリント配線基板と接続される第２のプリント配線基板上に、接続端子としてのランドを複数含む導体パターンを形成する工程と、
前記第２のプリント配線基板上に形成された複数のランド間であって、当該第２のプリント配線基板上にはんだレジスト部を形成する工程と、
前記第１のプリント配線基板の導体パターンのランドと、前記第２のプリント配線基板の導体パターンのランドとの少なくとも一方にはんだを供給する工程と、
前記第１のプリント配線基板の導体パターンのランドと、前記第２のプリント配線基板の導体パターンのランドとが重なるように配置した後、前記第１のプリント配線基板と前記第２のプリント配線基板との接続箇所を前記熱可塑性樹脂のガラス転移温度以上かつ前記はんだの融点以上に加熱するとともに、当該接続箇所に圧力を加えて、前記第１のプリント配線基板のランドと前記第２のプリント配線基板のランドとをはんだを介して電気的に接続するとともに、前記第１のプリント配線基板を構成する熱可塑性樹脂を軟化変形させ、前記第２のプリント配線基板表面に密着させて両プリント配線基板を接着する工程とを備え、
前記第２のプリント配線基板上に形成されるはんだレジスト部は、その先端部が前記第１のプリント配線基板と前記第２のプリント配線基板との接着面の一部に入り込んだ位置で終端することを特徴とする。
【０００６】
これにより、第１及び第２のプリント配線基板のランド間に供給されたはんだの量が過剰で、万一、第２のプリント配線基板の表面にはみ出したとしても、第２のプリント配線基板上のランド間にははんだレジスト部が形成されているため、隣接するランド間ではんだブリッジが発生することを確実に防止することができる。
【０００７】
また、第２のプリント配線基板上のランド間に形成されるはんだレジスト部は、その先端部が両プリント配線基板の接着面の一部に入り込んだ位置で終端するように形成されている。このため、両プリント配線基板同士が密着される領域を十分に確保することができるので、両プリント配線基板の接着強度を低下することもない。つまり、はんだレジスト部が含有する消泡材の影響により、第１のプリント配線基板を構成する熱可塑性樹脂材料とはんだレジスト部の接着強度は非常に弱くなってしまうが、上記のような構成とすることにより、両プリント配線基板間に介在するはんだレジスト部の領域を極力低減することができるのである。
【０００８】
なお、はんだレジスト部の先端部が、第１のプリント配線基板の端面に当接し、両プリント基板の接着面に入り込まないことが接着強度の点からは理想的であるが、この場合、僅かな位置ずれによってもはんだレジスト部の先端部と第１のプリント配線基板との端面との間に隙間が生じてしまう可能性がある。このため、多少の位置ずれがあっても、そのような隙間の発生を防止すべく、請求項１に係わる発明では、はんだレジスト部の先端部が、両プリント配線基板の接着面の一部に入り込んだ位置で終端するように構成しているのである。
【０００９】
請求項２に記載のプリント配線基板の接続方法は、前記第１のプリント配線基板と前記第２のプリント配線基板との接続箇所に圧力を加える際に、圧力付与部材を前記第１のプリント配線基板に当接させ、この圧力付与部材が、前記接続箇所の端部よりも中央付近に対応する部位により大きな圧力を加えることを特徴とする。
【００１０】
これにより、はんだは接続箇所の中央付近から端部に向けて、ランドを含む導体パターン上を移動するが、接続箇所の端部では、第１のプリント配線基板に付与される圧力が小さいため、導体パターン（ランド）から絶縁基板上にはみ出すはんだの量を低減することができる。このため、上記請求項１の発明と相まって、より確実にはんだブリッジの発生を防止することができる。
【００１１】
請求項３に記載の発明のように、圧力付与部材の端部が、テーパー状、凹上もしくは階段状に形成されることにより、両プリント配線基板の接続箇所の端部よりも中央付近に対応する部位により大きな圧力を容易に加えることができる。
【００１２】
請求項４に記載の発明では、前記はんだレジスト部が、前記第２のプリント配線基板の導体パターンのランドと所定の間隔を隔てて、前記第２のプリント配線基板上に形成されることを特徴とする。
【００１３】
はんだが溶融して導体パターン上を移動する際には、第１のプリント配線基板に圧力が付与されているため、その導体パターンの幅よりも拡がった状態となる。この場合、ランドとはんだレジスト部との間に隙間がないと、移動するはんだがはんだレジスト部の先端部によって抵抗を受け、その先端部近傍で基板上にはみ出してはんだブリッジを形成する場合がある。このため、請求項４の発明では、はんだレジスト部とランドとの間に所定の間隔を設けて、そのような現象を防止するのである。この所定の間隔は、請求項５に記載するように、３０μｍ以上であることが好ましい。
【００１４】
なお、請求項６〜８に記載するプリント配線基板の接続構造は、それぞれ上述の請求項１、４，５によるプリント配線基板の接続方法によって得られるものであり、それらの効果は上述の内容とほぼ同様である。
【００１５】
【発明の実施の形態】
（第１の実施の形態）
以下、本発明の第１の実施の形態を図面に基づいて説明する。
【００１６】
図１に、本第１実施形態における電子機器の一部を示す。電子機器の内部において、リジッドプリント配線基板１とリジッドプリント配線基板２とが支持されている。リジッドプリント配線基板１には各種の電子部品が実装されており、図１においては、ＤＩＰパッケージのＩＣ３がピン３ａを介して実装されている状態を示している。同様に、リジッドプリント配線基板２にも各種の電子部品４が実装されている。これらリジッドプリント配線基板１、２の絶縁基板１０の材料としては、例えばガラス布基材エポキシ樹脂を使用することができる。
【００１７】
上下に水平に配置されたリジッドプリント配線基板１とリジッドプリント配線基板２のそれぞれの基板端部間にフレキシブルプリント配線基板５が接続され、両者の電気的な導通をとっている。このフレキシブルプリント配線基板５の絶縁基板１２の材料として、ポリエーテルエーテルケトン（ＰＥＥＫ）樹脂を６５〜３５重量％とポリエーテルイミド（ＰＥＩ）樹脂を３５〜６５重量％含む熱可塑性樹脂（＠ＰＥＥＫ）が使用されている。この＠ＰＥＥＫは、ガラス転移温度以上の温度において軟化する熱可塑性樹脂である。
【００１８】
図２は、リジッドプリント配線基板２とフレキシブルプリント配線基板５の接続箇所を拡大して示している。なお、図２では、接続箇所の構造の理解を容易にするため、便宜的にフレキシブルプリント配線基板５のガラスエポキシ樹脂１０およびソルダーレジスト膜１６を透明として表している。
【００１９】
リジッドプリント配線基板２の上面には複数の導体パターン１１が形成され、それらの導体パターン１１はリジッドプリント基板２の端部から所定距離離れた位置において終端する。また、それぞれの導体パターン１１の先端部にはランド１１ａが形成されている。このランド１１ａ上には、接続材料としてはんだ１４が供給される。フレキシブルプリント配線基板５の表面にも、リジッドプリント配線基板２上の導体パターン１１に対応して、複数の導体パターン１３が形成され、それらの端部には接続端子としてのランド１３ａが形成されている。これらの導体パターン１１，１３は、銅によって構成される。
【００２０】
導体パターン１３は、フレキシブルプリント配線基板５の長手方向に平行に延びる複数の配線を有している。そして、導体パターン１３は、その端部のランド１３ａを除いて、保護膜としてのソルダーレジスト１６によって被覆されている。
【００２１】
リジッドプリント配線基板２とフレキシブルプリント配線基板５の接続箇所において、導体パターン１１のランド１１ａと導体パターン１３のランド１３ａとがはんだ１４によって接続されるとともに、リジッドプリント配線基板２を構成するガラスエポキシ樹脂１０とフレキシブルプリント配線基板５を構成する＠ＰＥＥＫ１２とが、＠ＰＥＥＫ１２が変形することにより導体パターン１１，１３間において接着されている。
【００２２】
リジッドプリント配線基板２には、隣接する導体パターン１１（ランド１１ａを含む）の間にソルダーレジスト２０が形成されている。このソルダーレジスト２０は、導体パターン１１との間に所定の間隔（３０μｍ以上）を持って、導体パターン１１に沿って設けられている。そのソルダーレジスト２０の先端部は、リジッドプリント配線基板２とフレキシブルプリント配線基板５との接着面の一部に入り込んでいる。
【００２３】
次に第１のプリント配線基板であるフレキシブルプリント配線基板５と第２のプリント配線基板であるリジッドプリント配線基板２の接続方法を図３及び図４を用いて説明する。
【００２４】
まず、リジッドプリント配線基板２の絶縁基板１０上に導体パターン１１を形成する。このとき、導体パターン１１は、リジッドプリント配線基板２の接続面先端部には形成されず、リジッドプリント配線基板２はその先端部においてガラスエポキシ樹脂１０が露出される。その後、リジッドプリント配線基板２の導体パターン１１を覆うように、ソルダーレジスト２０を形成する。このソルダーレジスト２０の形成される領域を図４に示す。図４に示すように、ソルダーレジスト２０はフレキシブルプリント基板５の絶縁基板１２の端面から所定距離を隔てて、導体パターン１１を含む絶縁基板１２の全面を覆うように形成される。さらに、ソルダーレジスト２０は、導体パターン１１の間を通り、先端部が両絶縁基板１０，１２の接着面の一部に達する凸状部分を有する。
【００２５】
次に、導体パターン１１のランド１１ａ部分に、はんだペースト１４が塗布される。なお、はんだ１４の形成に際しては、ランド１１ａ部分にはんだメッキを施したり、はんだコートを行ったりしても良い。本例では、はんだ１４として、錫−鉛の共晶半田を用いており、その融点（溶融温度）は１８３℃である。
【００２６】
はんだ１４には、その塗れ性を確保するため、フラックスや、アルカンのような炭化水素化合物が塗布または混合される。特に、アルカン等の炭化水素化合物を塗布する場合には、はんだ１４のみでなく、両基板の重ね合わせ面全体にも塗布することが好ましい。この場合、リジッドプリント配線基板２とフレキシブルプリント配線基板５との間にアルカンを介在させた状態でアルカンの沸点以上に加熱を行うと、アルカンが＠ＰＥＥＫ１２の表面に入り込む。この結果、＠ＰＥＥＫ１２の表面には、アルカンが分散した分散層が形成される。この分散層は、＠ＰＥＥＫ１２が本来有する弾性率よりも低い弾性率を有する。すなわち、分散層をその表面に形成することにより、被接着層（絶縁基板１０）への密着性が強まり、＠ＰＥＥＫ１２の接着性を向上することができる。
【００２７】
そして、フレキシブルプリント基板５に、リジッドプリント配線基板２上の導体パターン１１に対応するように、導体パターン１３を形成する。そして、導体パターン１３のランド１３ａ部分及びランド１３ａ間を除いて、ソルダーレジスト１６を形成する。このようにして形成されたフレキシブルプリント配線基板５をリジッドプリント配線基板２に対して位置合わせして重ねる。このとき、フレキシブルプリント配線基板５の端面とソルダーレジスト２０の凸状部分を除く端面との間に所定の間隙が設けられ、かつその凸状部分の先端部が両配線基板２，５の接続面の一部に達するように、位置合わせされる。
【００２８】
次に、図３に示すように、リジッドプリント配線基板２とフレキシブルプリント配線基板５とを重ねた接続箇所を圧力付与部材としての熱圧着ツール２１によって加圧しつつ、加熱する。このとき、＠ＰＥＥＫ１２のガラス転移温度は、１５０℃〜２３０℃であり、熱圧着ツール２１は、接続箇所が、はんだ１４の溶融温度以上でかつ＠ＰＥＥＫ１２のガラス転移温度以上の温度となるように加熱を行いつつ、当該部位に圧力を加える。例えば、加熱温度は２４０℃〜４００℃であり、５秒〜１５秒間加熱及び加圧を継続する。なお、本例では、パルスヒート方式の熱圧着ツール２１を用いている。
【００２９】
ここで、熱圧着ツール２１について説明する。
【００３０】
図３に示されるように、熱圧着ツール２１は、フレキシブルプリント配線基板５の先端側の端部がテーパー状に形成されている。これにより、熱圧着ツール２１がフレキシブルプリント配線基板５に圧力を付与する際に、フレキシブルプリント配線基板１に形成された導体パターン１３（ランド１３ａ）の端部よりも中央側部分に対応する部位に大きな圧力が付与される。このため、フレキシブルプリント配線基板５とリジッドプリント配線基板２との接続時に、より大きな圧力を付与される導体パターン１３の中央側からより小さな圧力が付与される端部側へ向けて溶融したはんだが移動するが、その導体パターン１３の端部に対応する部位では、フレキシブルプリント配線基板５へ付与される圧力が小さく、基板５の端部は熱圧着ツール２１の形状に合わせて変形されるので、導体パターン１３の端部においてはんだフィレット１４ａが形成される。このため、導体パターン１３からリジッドプリント配線基板２の絶縁基板１０上にはみ出すはんだの量を低減することができる。
【００３１】
熱圧着ツール２１の加熱・加圧により、はんだ１４を溶融させて導体パターン１１，１３のランド１１ａ，１３ａ間の接続を行いながら、フレキシブルプリント配線基板５の絶縁基板を構成する＠ＰＥＥＫ１２を軟化変形させ、リジッドプリント配線基板２の接続面に密着させる。なお、熱圧着ツール２１による熱圧着範囲は、図４に示す通りであり、熱圧着ツール２１によって軟化変形された＠ＰＥＥＫ１２は、導体パターン１１間の広い範囲において、リジッドプリント配線基板２の絶縁基板１０に密着する。
【００３２】
ここで、本実施形態では、図２，図４に示すように、リジッドプリント配線基板２において、導体パターン１１の間を通り、その先端部が両プリント配線基板２，５の接着面の一部に入り込んだ位置で終端するように、ソルダーレジスト２０の凸状部分を形成している。
【００３３】
これにより、両プリント配線基板２，５のランド１１ａ，１３ａ間に供給されたはんだ１４の量が過剰で、万一、はんだ１４がリジッドプリント配線基板２の絶縁基板１０の表面にはみ出したとしても、このソルダーレジスト２０の凸状部分によって隣接するランド１１ａ間ではんだブリッジが発生することを確実に防止することができる。
【００３４】
更に、ソルダーレジスト２０の凸状部部分の先端部が両プリント配線基板２，５の接着面の一部に入り込んだ位置で終端するように形成されている。このため、両プリント配線基板２，５同士が密着される領域を十分に確保することができ、両プリント配線基板２，５を十分な強度にて接着することができる。
【００３５】
ここで、両プリント配線基板２，５の接着強度に対するソルダーレジスト２０の影響について説明する。ソルダーレジスト２０は、例えば、変性エポキシ樹脂を主成分として、さらにフィラー、有機溶剤、硬化剤、シリコン系の消泡剤等を添加して構成されるものである。このソルダーレジスト２０が含有する消泡材の影響により、フレキシブルプリント基板５の基板材料である＠ＰＥＥＫとの接着強度は非常に弱くなる。従って、上記のような成分組成を有するソルダーレジストが、導体パターン１１に沿って熱圧着範囲の全体に渡って両プリント配線基板２，５間に介在すると、＠ＰＥＥＫ１２の軟化変化により両プリント配線基板２，５を接着する際に、十分な接着強度を確保することができない。
【００３６】
本実施形態では、ソルダーレジスト２０の凸状部部分の先端部が両プリント配線基板２，５の接着面の一部のみに入り込む構成であるため、両プリント配線基板２，５間に介在するソルダーレジスト２０の領域を極力低減することができるのである。
【００３７】
なお、ソルダーレジスト２０の凸状部分の先端部が、フレキシブルプリント配線基板５の端面に当接し、両プリント基板２，５の接着面に入り込まないことが接着強度の点からは理想的である。この場合、はんだ１４が、絶縁基板１０上にはみ出しても、ソルダーレジスト２０の凸状部分の先端部がフレキシブルプリント配線基板５の端面に接触していれば、はんだブリッジの発生も防止できる。
【００３８】
しかしながら、上記のように構成すると、ソルダーレジスト２０形成時もしくは両基板２，５の位置合わせ時の僅かな位置ずれによって、ソルダーレジスト２０の凸上部分の先端部とフレキシブルプリント配線基板５との端面との間に隙間が生じてしまう可能性がある。このため、多少の位置ずれがあっても、そのような隙間の発生を防止すべく、本実施形態では、ソルダーレジスト２０の凸上部分の先端部が、両プリント配線基板２，５の接着面の一部に入り込んだ位置で終端するように構成している。
【００３９】
また、本実施形態では、ソルダーレジスト２０の凸状部分は、導体パターン１１と所定の隙間を隔てて、リジッドプリント配線基板２上に形成される。
【００４０】
はんだ１４が溶融して導体パターン１１上を移動する際には、フレキシブルプリント配線基板５に圧力が付与されているため、はんだ１４は導体パターン１１の幅よりも拡がった状態となる。この場合、ソルダーレジスト２０と導体パターン１１との間に隙間がないと、移動するはんだがはんだレジスト部の先端部によって抵抗を受け、その先端部近傍で基板１０上にはみ出してはんだブリッジを形成する場合がある。このため、上記のようにソルダーレジスト２０の凸上部分と導体パターン１１との間に所定の間隔（３０μｍ以上）を設けて、そのような現象を防止するのである。
【００４１】
以上、本発明の好ましい実施形態について説明したが、本発明は上述の実施形態のみに限定されず、種々変更して実施することができる。
【００４２】
例えば、上述の実施形態では、リジッドプリント配線基板とフレキシブルプリント配線基板との電気的接続において、フレキシブルプリント配線基板の基板材料の熱可塑性特性を利用して、端子間のはんだによる接続と同時に両基板を接着した。しかし、第１のプリント配線基板と第２のプリント配線基板との接続において、両方が熱可塑性樹脂を用いたフレキシブルプリント配線基板であっても良い。
【００４３】
また、リジッドプリント配線基板を用いる場合には、その絶縁基板として、
樹脂基板以外にもセラミック基板やメタルベース基板を用いても良い。
【００４４】
また、フレキシブルプリント配線基板の絶縁樹脂材料としては、上述の＠ＰＥＥＫ以外にも、ポリエーテルイミド（ＰＥＩ）もしくはポリエーテルエーテルケトン（ＰＥＥＫ）を単独で使用することも可能である。さらに、フレキシブルプリント配線基板の絶縁樹脂材料として、ポリエチレンナフタレート（ＰＥＮ）やポリエチレンテレフタレート（ＰＥＴ）を用いても良い。あるいは、フレキシブルプリント配線基板の絶縁基板として、ポリイミド基板に、ＰＥＥＫ，ＰＥＩ，ＰＥＮ，ＰＥＴの少なくともいずれかの熱可塑性樹脂材料からなる層を積層した構造のものを使用しても良い。なお、積層時には、例えば接着剤を用いてポリイミド基板と熱可塑性樹脂材料からなる層をと接着することができる。ポリイミド基板は熱膨張係数が１５〜２０ｐｐｍ程度で、配線として利用されることが多い銅の熱膨張係数と近いため（１７〜２０ｐｐｍ）、剥がれやフレキシブルプリント配線基板の反り等の発生を防止することができる。
【００４５】
また、上述の例では、はんだ１４をリジッドプリント配線基板２の導体パターン１１のランド１１ａに設けたが、フレキシブルプリント配線基板側の導体パターン１３のランド１３ａ上に設けても良い。また、両方のランド１１ａ，１３ａにはんだを設けても良い。
【００４６】
さらに、導体パターン１１，１３におけるランド１１ａ，１３ａの形状は、角ランド、丸ランド、異形ランドのいずれでも良い。特に、はんだブリッジの発生を防止するとの観点からすれば、熱圧着される領域の中央から端部に向かって導体パターン（ランド）の幅が減少するような形状が好ましい。これにより、はんだブリッジが発生しやすい熱圧着される領域の端部において隣接する導体パターン間の距離を確保しやすくなる。この場合、導体パターン間に設けられるソルダーレジストの形状としては、上述の実施形態に示したように単なる長方形としても良いし、導体パターンの形状に合わせ、熱圧着される領域の中央から端部に向かう方向において、幅が増加するような形状としても良い。
【００４７】
さらに、上述した実施形態において、フレキシブルプリント配線基板５のソルダーレジスト１６に代えて、前述した熱可塑性材料からなるカバーレイによって導体パターン１３を被覆しても良い。変性エポキシ樹脂を主成分とするソルダーレジストは、リジッドプリント配線基板の基板材料であるエポキシ樹脂やその基板上に形成された同成分のソルダーレジストとの接合強度は十分ではない。しかしながら、フレキシブルプリント配線基板５の導体パターン１３を前述した熱可塑性材料（＠ＰＥＥＫ，ＰＥＥＫ，ＰＥＩ，ＰＥＮ，ＰＥＴ）からなるカバーレイで被覆することにより、このカバーレイがリジッドプリント配線基板の基板材料であるエポキシ樹脂と強固に密着し、両配線基板の接合強度を大幅に向上することができる。
【００４８】
また、リジッドプリント配線基板２の導体パターン１１上に形成されるソルダーレジスト２０を上述した熱可塑性樹脂からなるカバーレイとしても良い。この場合には、フレキシブルプリント配線基板５の基板材料との密着性も十分あるので、リジッドプリント配線基板２の導体パターン１１間に設けるカバーレイの凸状部分の長さを、導体パターン１１と同等の長さから凸状部分の先端部が両プリント配線基板２，５の接着面の一部に入り込む長さまでの範囲で、任意の長さとすれば良い。
【００４９】
さらに、上述した実施形態及び変形例において、それぞれの配線基板２、５の導体パターン１１，１３を被覆するソルダーレジストもしくはカバーレイは、必ずしも設ける必要は無い。この場合、リジッドプリント配線基板２において、隣接する導体パターン１１間にのみソルダーレジストもしくは熱可塑性樹脂によるはんだブリッジ発生防止部が形成される。
【図面の簡単な説明】
【図１】実施形態における電子機器の一部を示す斜視図である。
【図２】第１の実施形態における接続部分を示す斜視図である。
【図３】製造方法を説明するための断面図である。
【図４】第１の実施形態における接続部分を示す平面図である。
【図５】従来技術を説明するための断面図である。
【符号の説明】
２…リジッドプリント配線基板、
５…フレキシブルプリント配線基板、
１１導体パターン、
１１ａ…ランド、
１３…導体パターン、
１３ａ…ランド，
１４…ハンダ、
１６…ソルダーレジスト、
２０…ソルダーレジスト
【図１】
0003800958.tif 000002
【図２】
0003800958.tif 000003
【図３】
0003800958.tif 000004
【図４】
0003800958.tif 000005
【図５】
0003800958.tif 000006